(57)【特許請求の範囲】
【請求項１】
被写体の画像を撮像する撮像手段と、
撮像される画像は、動画像であるか静止画像であるかを設定する画像設定手段と、
所定のキーが操作されたか否かを判断する判断手段と、
前記判断手段により所定のキーが操作されたと判断された場合、前記キーに割り当てられたプログラムを起動する起動手段と、
前記撮像手段により撮像された画像を送信する送信手段と、
前記起動手段により起動されたプログラムに従って、前記撮像手段により画像を撮像し、前記画像設定手段により予め設定された情報に基づいて当該撮像された画像が動画像であるか否かを判断し、当該撮像された画像が動画像であると判断された場合には、当該動画像を圧縮し、圧縮された当該動画像を前記送信手段により送信すると共に、ＦＴＰを用いてＷＷＷサーバに記録されているホームページの画像をアップデートするよう制御する制御手段と
を備える情報処理装置。
【請求項２】
設定された時刻であるか否かを判断する第２の判断手段をさらに備え、
前記第２の判断手段により設定された時刻であると判断された場合、前記起動手段を起動して前記プログラムを起動する
請求項１に記載の情報処理装置。
【請求項３】
被写体の画像を撮像する撮像手段と、ユーザにより操作される所定のキーを備える情報処理装置の情報処理方法において、
前記撮像手段による被写体の画像の撮像を制御する撮像ステップと、
撮像される画像は、動画像であるか静止画像であるかを設定する画像設定ステップと、
前記所定のキーが操作されたか否かを判断する判断ステップと、
前記判断ステップで前記所定のキーが操作されたと判断された場合、前記キーに割り当てられたプログラムを起動する起動ステップと、
前記撮像ステップにより撮像された画像を送信する送信ステップとを有し、
前記起動ステップで起動されたプログラムに従って、前記撮像ステップで画像を撮像し、前記画像設定ステップの処理で予め設定された情報に基づいて当該撮像された画像が動画像であるか否かを判断し、当該撮像された画像が動画像であると判断された場合には、当該動画像を圧縮し、前記送信ステップにより圧縮された当該動画像を送信すると共に、ＦＴＰを用いてＷＷＷサーバに記録されているホームページの画像をアップデートするよう制御する
情報処理方法。
【請求項４】
被写体の画像を撮像する撮像手段と、ユーザにより操作される所定のキーを備える情報処理装置に、
前記撮像手段による被写体の画像の撮像を制御する撮像ステップと、
撮像される画像は、動画像であるか静止画像であるかを設定する画像設定ステップと、
前記所定のキーが操作されたか否かを判断する判断ステップと、
前記判断ステップで前記所定のキーが操作されたと判断された場合、前記キーに割り当てられたプログラムを起動する起動ステップと、
前記撮像ステップにより撮像された画像を送信する送信ステップとを有し、
前記起動ステップで起動されたプログラムに従って、前記撮像ステップで画像を撮像し、前記画像設定ステップの処理で予め設定された情報に基づいて当該撮像された画像が動画像であるか否かを判断し、当該撮像された画像が動画像であると判断された場合には、当該動画像を圧縮し、前記送信ステップにより圧縮された当該動画像を送信すると共に、ＦＴＰを用いてＷＷＷサーバに記録されているホームページの画像をアップデートするよう制御する
処理を実行させるコンピュータが読み取り可能なプログラムを記録している記録媒体。
【発明の詳細な説明】
【０００１】
【発明の属する技術分野】
本発明は情報処理装置および方法、並びに記録媒体に関し、特に、複数の操作をしなくてはならなかった処理を、１度の操作で同様の処理を行えるようにする情報処理装置および方法、並びに記録媒体に関する。
【０００２】
【従来の技術】
近年、携帯型の電子機器が開発され、CPU（Central Processing Unit）を搭載した高度な電子機器が普及し始めている。この携帯型の電子機器として、携帯型のパーソナルコンピュータは、本体とそのLCD（Liquid Crystal Display）等の表示部を備えており、この表示部は、本体に対してヒンジを介して開閉できるようになっている。このような携帯型のパーソナルコンピュータは、ノート型のパーソナルコンピュータと称されている。
【０００３】
このような電子機器においては、ＯＳ（Operating System）と呼ばれる基本プログラムが起動された後、所望のプログラムを起動させることにより、所望の処理ができるような状態になる。例えば、電子メールの授受を行いたい場合、ＯＳを起動させ、さらに電子メールのアプリケーションプログラムを起動させることにより、自分宛のメールが届いていないかチェックすることができる状態となる。
【０００４】
しかしながら、ユーザが電子機器において電子メールを即座にみたいという希望がある。また、電子メールの機能に限らず、電子機器が備える機能を瞬時に利用したいという希望がある。このような課題を解消するために本出願人は、例えば、特願平９−３１８３４１において、所定のプログラムを１回の操作で起動させるための操作キーを備えた電子機器を提案している。この電子機器によれば、操作キーを１度だけ操作すれば、予め設定されたプログラム、例えば、電子メールのプログラムが自動的に起動し、自分宛のメールを取得することができる。
【０００５】
【発明が解決しようとする課題】
上述した電子機器に、例えばＣＣＤカメラなどの画像を撮像する装置を取り付け、このＣＣＤカメラで撮像された画像を、ユーザ自身が作成したホームページ上の画像と定期的に更新する場合、まずユーザは、ＣＣＤカメラにより画像を撮像し、ネットワークと接続し、自分の作成したホームページ上の画像を更新するための処理を行い、そして、ネットワークの接続を切断する。このようなことを定期的に行うことは、ユーザにとって負担になる処理であり、その結果、定期的に画像の更新を行うことの妨げとなるという課題があった。
【０００６】
本発明はこのような状況に鑑みてなされたものであり、画像の撮像、ホームページ上の画像の更新等、通常複数回の操作をしなくては行えない操作を、１度の操作で行えるようにするものである。
【０００７】
【課題を解決するための手段】
本発明の情報処理装置は、被写体の画像を撮像する撮像手段と、撮像される画像は、動画像であるか静止画像であるかを設定する画像設定手段と、所定のキーが操作されたか否かを判断する判断手段と、判断手段により所定のキーが操作されたと判断された場合、キーに割り当てられたプログラムを起動する起動手段と、撮像手段により撮像された画像を送信する送信手段と、起動手段により起動されたプログラムに従って、撮像手段により画像を撮像し、前記画像設定手段により予め設定された情報に基づいて当該撮像された画像が動画像であるか否かを判断し、当該撮像された画像が動画像であると判断された場合には、当該動画像を圧縮し、圧縮された当該動画像を送信手段により送信すると共に、ＦＴＰを用いてＷＷＷサーバに記録されているホームページの画像をアップデートするよう制御する制御手段とを備える。
【０００８】
本発明の情報処理方法は、被写体の画像を撮像する撮像手段と、ユーザにより操作される所定のキーを備える情報処理装置の情報処理方法であって、撮像手段による被写体の画像の撮像を制御する撮像ステップと、撮像される画像は、動画像であるか静止画像であるかを設定する画像設定ステップと、所定のキーが操作されたか否かを判断する判断ステップと、判断ステップで所定のキーが操作されたと判断された場合、キーに割り当てられたプログラムを起動する起動ステップと、撮像ステップにより撮像された画像を送信する送信ステップとを有し、起動ステップで起動されたプログラムに従って、撮像ステップで画像を撮像し、前記画像設定ステップの処理で予め設定された情報に基づいて当該撮像された画像が動画像であるか否かを判断し、当該撮像された画像が動画像であると判断された場合には、当該動画像を圧縮し、送信ステップにより圧縮された当該動画像を送信すると共に、ＦＴＰを用いてＷＷＷサーバに記録されているホームページの画像をアップデートするよう制御する。
【０００９】
本発明の記録媒体は、被写体の画像を撮像する撮像手段と、ユーザにより操作される所定のキーを備える情報処理装置に、撮像手段による被写体の画像の撮像を制御する撮像ステップと、撮像される画像は、動画像であるか静止画像であるかを設定する画像設定ステップと、所定のキーが操作されたか否かを判断する判断ステップと、判断ステップで所定のキーが操作されたと判断された場合、キーに割り当てられたプログラムを起動する起動ステップと、撮像ステップにより撮像された画像を送信する送信ステップとを有し、起動ステップで起動されたプログラムに従って、撮像ステップで画像を撮像し、前記画像設定ステップの処理で予め設定された情報に基づいて当該撮像された画像が動画像であるか否かを判断し、当該撮像された画像が動画像であると判断された場合には、当該動画像を圧縮し、送信ステップにより圧縮された当該動画像を送信すると共に、ＦＴＰを用いてＷＷＷサーバに記録されているホームページの画像をアップデートするよう制御する処理を実行させるコンピュータが読み取り可能なプログラムを記録している。
【００１０】
本発明においては、所定のキーが操作されたか否かが判断され、所定のキーが操作されたと判断された場合、そのキーに割り当てられたプログラムが起動され、起動されたプログラムに従って、画像が撮像され、その画像が動画像である場合、圧縮され、その圧縮された動画像のデータが送信される。
【００１１】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１３】
設定された時刻であるか否かを判断する第２の判断手段（例えば、図９のステップＳ２１）をさらに備え、第２の判断手段により設定された時刻であると判断された場合、起動手段を起動してプログラムを起動することを特徴とする。
【００１４】
図１乃至図６は、本発明を適用した携帯型パーソナルコンピュータの構成例を表している。このパーソナルコンピュータ１は、ミニノート型のパーソナルコンピュータとされ、基本的に、本体２と、本体２に対して開閉自在とされている表示部３により構成されている。図１は、表示部３を本体２に対して開いた状態を示す外観斜視図、図２は、図１の平面図、図３は、表示部３を本体２に対して閉塞した状態を示す左側側面図、図４は、表示部３を本体２に対して１８０度開いた状態を示す右側側面図、図５は、図３の正面図、図６は、図４の底面図である。
【００１５】
本体２には、各種の文字や記号などを入力するとき操作されるキーボード４、マウスカーソルを移動させるときなどに操作されるトラックポイント（商標）５が、その上面に設けられている。また、本体２の上面には、音を出力するスピーカ８と、表示部３に設けられているCCDビデオカメラ２３で撮像するとき操作されるシャッタボタン１０がさらに設けられている。
【００１６】
表示部３の上端部には、ツメ１３が設けられており、図３に示すように、表示部３を本体２に対して閉塞した状態において、ツメ１３に対向する位置における本体２には、ツメ１３が嵌合する孔部６が設けられている。本体２の前面には、スライドレバー７が前面に平行に移動可能に設けられており、スライドレバー７は孔部６に嵌合したツメ１３と係合してロックし、またロック解除することができるようになっている。ロックを解除することにより、表示部３を本体２に対して回動することができる。ツメ１３の隣りには、マイクロホン２４が取り付けられている。このマイクロホン２４は、図６にも示すように、背面からの音も収音できるようになされている。
【００１７】
本体２の正面にはまた、プログラマブルパワーキー（PPK）９が設けられている。本体２の右側面には、図４に示すように、排気孔１１が設けられており、本体２の前面下部には、図５に示すように、吸気孔１４が設けられている。さらに、排気孔１１の右側には、PCMCIA（Personal Comuputer Memory Card International Association）カード（ＰＣカード）を挿入するためのスロット１２が設けられている。
【００１８】
表示部３の正面には、画像を表示するLCD（Liquid Crystal Display）２１が設けられており、その上端部には、撮像部２２が、表示部３に対して回動自在に設けられている。すなわち、この撮像部２２は、LCD２１と同一の方向と、その逆の方向（背面の方向）との間の１８０度の範囲の任意の位置に回動することができるようになされている。撮像部２２には、CCDビデオカメラ２３が取り付けられている。
【００１９】
表示部３の下側の本体側には、電源ランプPL、電池ランプBL、メッセージランプML、その他のLEDよりなるランプが設けられている。なお、図３に示す符号４０は、本体２の左側面に設けられた電源スイッチであり、図５に示す符号２５は、CCDビデオカメラ２３のフォーカスを調整する調整リングである。さらに、図６に示す符号２６は、本体２内に増設メモリを取り付けるための開口部を被覆する蓋であり、符号４１は、蓋２６のロックツメを外すためのピンを挿入する小孔である。
【００２０】
図７は、パーソナルコンピュータ１の内部の構成を表している。内部バス５１には、図７に示すように、CPU（Central Processing Unit）５２、必要に応じて挿入されるＰＣカード５３、RAM（Random Access Memory）５４、およびグラフィックチップ８１が接続されている。この内部バス５１は、外部バス５５に接続されており、外部バス５５には、ハードディスクドライブ（HDD）５６、Ｉ／Ｏ（入出力）コントローラ５７、キーボードコントローラ５８、トラックポイントコントローラ５９、サウンドチップ６０、LCDコントローラ８３、モデム５０などが接続されている。
【００２１】
CPU５２は、各機能を統括するコントローラであり、ＰＣカード５３は、オプションの機能を付加するとき適宜装着される。
【００２２】
RAM５４の中には、起動が完了した時点において、キャプチャプログラム（アプリケーションプログラム）５４Ａ、オートパイロットプログラム（アプリケーションプログラム）５４Ｂ、そしてＯＳ（基本プログラム）５４Ｃが、HDD５６から転送され、記憶される。
【００２３】
キャプチャプログラム５４Ａは、ＣＣＤビデオカメラ２３により被写体の画像を撮像するプログラムである。キャプチャプログラム５４Ａは、特定機能として撮像した画像をネットワーク経由で送信できる形にファイル化し、送信する機能を有している。
【００２４】
オートパイロットプログラム５４Ｂは、予め設定された複数の処理（またはプログラム）などを、予め設定された順序で順次起動して、処理するプログラムである。
【００２５】
ＯＳ（基本プログラムソフトウェア）５４Ｃは、Windows９５（商標）に代表される、コンピュータの基本的な動作を制御するものである。
【００２６】
一方、外部バス５５側のハードディスクドライブ（HDD）５６には、キャプチャプログラム５６Ａ、オートパイロットプログラム５６Ｂ、ＯＳ（基本プログラムソフトウェア）５６Ｃが記憶されている。ハードディスクドライブ５６内のＯＳ５６Ｃ、オートパイロットプログラム５６Ｂ、およびキャプチャプログラム５６Ａは、起動（ブートアップ）処理の過程で、RAM５４内に順次転送され、格納される。
【００２７】
Ｉ／Ｏコントローラ５７は、マイクロコントローラ６１を有し、このマイクロコントローラ６１には、Ｉ／Ｏインタフェース６２が設けられている。このマイクロコントローラ６１は、Ｉ／Ｏインタフェース６２、CPU６３、RAM６４、ROM６９が相互に接続されて構成されている。このRAM６４は、キー入力ステイタスレジスタ６５、LED（発光ダイオード）制御レジスタ６６、設定時刻レジスタ６７、レジスタ６８を有している。設定時刻レジスタ６７は、ユーザが予め設定した時刻（起動条件）になると起動シーケンス制御部７６の動作を開始させる際に利用される。レジスタ６８は、予め設定された操作キーの組み合わせ（起動条件）と、起動すべきアプリケーションプログラムの対応を記憶するもので、その記憶された操作キーの組み合わせがユーザにより入力されると、その記憶されたアプリケーションプログラム（例えば電子メール）が起動されることになる。
【００２８】
キー入力ステイタスレジスタ６５は、ワンタッチ操作用のプログラマブルパワーキー（PPK）９が押されると、操作キーフラグが格納されるようになっている。LED制御レジスタ６６は、レジスタ６８に記憶されたアプリケーションプログラム（電子メール）の立ち上げ状態を表示するメッセージランプMLの点灯を制御するものである。設定時刻レジスタ６７は、所定の時刻を任意に設定することができるものである。
【００２９】
なお、このマイクロコントローラ６１には、バックアップ用のバッテリ７４が接続されており、各レジスタ６５，６６，６７の値は、本体２の電源がオフとされている状態においても保持されるようになっている。
【００３０】
マイクロコントローラ６１内のROM６９の中には、ウェイクアッププログラム７０、キー入力監視プログラム７１、LED制御プログラム７２が予め格納されている。このROM６９は、例えばEEPROM（electrically erasable and programmable read only memory）で構成されている。このEEPROMはフラッシュメモリとも呼ばれている。さらにマイクロコントローラ６１には、常時現在時刻をカウントするRTC（Real-Time Clock）７５Ａが接続されている。
【００３１】
ROM６９の中のウェイクアッププログラム７０は、RTC７５から供給される現在時刻データに基づいて、設定時刻レジスタ６７に予め設定された時刻になったかどうかをチェックして、設定された時刻になると、所定の処理（またはプログラム）などの起動をするプログラムである。キー入力監視プログラム７１は、PPK９が利用者により押されたかどうかを常時監視するプログラムである。LED制御プログラム７２は、メッセージランプMLの点灯を制御するプログラムである。
【００３２】
ROM６９には、さらにBIOS（Basic Input/Output System）７３が書き込まれている。このBIOSとは、基本入出力システムのことをいい、ＯＳやアプリケーションソフトウェアと周辺機器（ディスプレイ、キーボード、ハードディスクドライブなど）の間でのデータの受け渡し（入出力）を制御するソフトウェアプログラムである。
【００３３】
外部バス５５に接続されているキーボードコントローラ５８は、キーボード４からの入力をコントロールする。トラックポイントコントローラ５９は、トラックポイント５の入力を制御する。
【００３４】
サウンドチップ６０は、マイクロホン２４からの入力を取り込み、あるいは内蔵スピーカ８に対して音声信号を供給する。
【００３５】
モデム５０は、公衆電話回線９０、インターネットサービスプロバイダ９１を介して、インターネットなどの通信ネットワーク９２、メールサーバ９３、WWWサーバ９４などに接続することができる。
【００３６】
内部バス５１に接続されているグラフィックチップ８１には、CCDビデオカメラ２３で取り込んだ画像データが、処理部８２で処理された後、入力されるようになされている。グラフィックチップ８１は、処理部８２を介してCCDビデオカメラ２３より入力されたビデオデータを、内蔵するVRAM８１Ａに記憶し、適宜、これを読み出して、LCDコントローラ８３に出力する。LCDコントローラ８３は、グラフィックチップ８１より供給された画像データをLCD２１に出力し、表示させる。バックライト８４は、LCD２１を後方から照明するようになされている。
【００３７】
電源スイッチ４０は、電源をオンまたはオフするとき操作される。半押しスイッチ８５は、シャッタボタン１０が半押し状態にされたときオンされ、全押しスイッチ８６は、シャッタボタン１０が全押し状態にされたときオンされる。反転スイッチ８７は、撮像部２２が１８０度回転されたとき（CCDビデオカメラ２３がLCD２１の反対側を撮像する方向に回転されたとき）、オンされるようになされている。
【００３８】
このような構成を持つパーソナルコンピュータ１の動作について、図８のフローチャートを参照して説明する。ステップＳ１において、キー入力監視プログラム７１は、ＰＰＫ９が操作されたかた否かを判断する。キー入力監視プログラム７１は、ＰＰＫ９が操作されるまで、ステップＳ１の処理を繰り返し、監視状態を維持する。ステップＳ１において、ＰＰＫ９が操作されたと判断された場合、ステップＳ２に進む。
【００３９】
ステップＳ２において、キー入力監視プログラム７１は、キー入力ステイタスレジスタ６５に操作キーフラグを立てる。そして、ステップＳ３において、ＨＤＤ５６のＯＳ５６Ｃが、RAM５４へ格納されて立ち上がる。
【００４０】
ステップＳ４において、ＨＤＤ５６に記憶されているオートパイロットプログラム（自動シーケンス処理プログラム）５６Ｂが起動され、キャプチャプログラム５６Ａ等が起動される。そしてRAM５４にＯＳ５４Ｃ、オートパイロットプログラム５４Ｂ，そして、キャプチャプログラム５４Ａが順次格納され、起動処理が終了する。
【００４１】
ステップＳ５において、ＣＣＤビデオカメラ２３により被写体の画像が撮像される。撮像された画像は、ステップＳ６において、動画像であるか否かが判断される。この判断は、予めユーザにより設定された情報を用いて行われる。すなわち、ユーザは、キャプチャプログラム５４Ａに従って、撮像される画像は、動画像であるか静止画像であるかを設定しておく。ステップＳ６において、動画像であると判断された場合、ステップＳ７に進み、撮像された動画像のデータが圧縮される。
【００４２】
ステップＳ６における圧縮処理が終了されるか、または、ステップＳ６において、撮像された画像は動画像ではないと判断された場合、ステップＳ８に進む。ステップＳ８において、ダイヤルアップツールを起動し、プロバイダ９１とＰＰＰ（Point TO Point Protocol）接続する。すなわちCPU５２は、ユーザが予め設定したプロバイダ９１のアクセスポイントへのオートダイヤル処理を指示し、MODEM５０、電話回線９０を介して、プロバイダ９１のアクセスポイントへのオートダイヤルを行い、回線接続する。
【００４３】
そして、プロバイダ９１側から要求されるタイミングでユーザ名（ユーザID）とパスワード等のアカウント送信を行う。CPU５２がＰＰＰによるダイヤルアップ接続確認を行うと、ステップＳ９において、ＦＴＰ（File Transfer Protocol）を用いて撮像した画像を送信し、WWWサーバ９４に記録されているユーザ自身が作成した（または、更新対象としている）ＷＷＷ（World Wide Web）のホームページの画像をアップデートする。ホームページのアップデートが終了したら、ステップＳ１０において、プロバイダ９１との接続を切断し、ＯＳ５４Ｃの終了処理を実行する。
【００４４】
このように、ユーザはＰＰＫ９を操作するだけで、そのときＣＣＤビデオカメラ２３で撮像されている被写体の画像をキャプチャし、ホームページの画像をアップデートすることができる。
【００４５】
次に、タイマ機能を用いた場合のホームページのアップデートの仕方を、図９のフローチャートを参照して説明する。ここで、タイマ機能について説明する。ユーザは、所定のプログラムと、そのプログラムを起動させたいときの時刻を設定しておく。時刻の設定は、曜日と時刻とからなり、その組み合わせにより、毎週同じ曜日の同じ時刻、毎日同じ時刻、または１日の内の複数の時刻などに、所定のプログラムを起動させるように設定できる。
【００４６】
ステップＳ２１において、CPU５２がウェイクアッププログラム７０に基づいて、設定時刻レジスタ６７に設定された設定時刻になったか否かを判断する。すなわち、設定時刻レジスタ６７に設定された時刻が、ＲＴＣ７５Ａから供給されている現在時刻と同時刻になったか否かが判断される。
【００４７】
同時刻になるまで、ステップＳ２１の処理が繰り返される。そして、CPU５２が設定時刻レジスタ６７に設定されている時刻とＲＴＣ７５Ａから供給されている時刻が同時刻になったと判断した場合、ステップＳ２２に進む。ステップＳ２２以下の処理は、図８のステップＳ２以降の処理と同様の処理なので、その説明は省略する。
【００４８】
このように設定しておいた時刻に、ＣＣＤビデオカメラ２３で撮像された画像で、ホームページの画像を更新できるようにしたので、例えば、パーソナルコンピュータ１を特定の場所に固定しておくことにより、定点観測が可能となる。また、ユーザがパーソナルコンピュータ１を持ち歩いている場合、自分が何処にいるのか記録しておくことが可能となる。
【００４９】
上述した説明においては、ホームページの画像データをアップデートする場合について説明したが、単にＣＣＤビデオカメラ２３で撮像された画像を、ＨＤＤ５６や記録媒体（不図示）に記録するようにしても良い。
【００５０】
なお、本明細書中において、上記処理を実行するコンピュータプログラムをユーザに提供する提供媒体には、磁気ディスク、CD-ROMなどの情報記録媒体の他、インターネット、デジタル衛星などのネットワークによる伝送媒体も含まれる。
【００５１】
本発明によれば、複数の処理をしなくては行えなかった、例えば、ホームページ上の画像の更新などの操作が、１度の操作により簡単に行うことが可能となる。
【図面の簡単な説明】
【図１】本発明を適用した携帯型パーソナルコンピュータの構成例の表示部を本体に対して開いた状態を示す外観斜視図である。
【図２】図１の平面図である。
【図３】図１の表示部を本体に対して閉塞した状態を示す左側側面図である。
【図４】図１の表示部を本体に対して１８０度開いた状態を示す右側側面図である。
【図５】図３の正面図である。
【図６】図４の底面図である。
【図７】図１の電気回路の構成例を示すブロック図である。
【図８】パーソナルコンピュータの動作を説明するフローチャートである。
【図９】パーソナルコンピュータの他の動作を説明するフローチャートである。
【符号の説明】
１  パーソナルコンピュータ，  ９  ＰＰＫ，  ２２  撮像部，  ６１  マイクロコンピュータ，  ７５Ａ  ＲＴＣ
【図１】
0004683677.tif 000002
【図２】
0004683677.tif 000003
【図３】
0004683677.tif 000004
【図４】
0004683677.tif 000005
【図５】
0004683677.tif 000006
【図６】
0004683677.tif 000007
【図７】
0004683677.tif 000008
【図８】
0004683677.tif 000009
【図９】
0004683677.tif 000010